(57)【特許請求の範囲】
【請求項１】
リレーネットワークにおいて強化型マルチメディアブロードキャストマルチキャストeMBMSサービスをサポートする方法であって、
ネットワーク側が送信する、eMBMSサービスに関する単一周波数ネットワークにおけるマルチキャストブロードキャストMBSFNサブフレームの伝送フレームでの位置を指示するためのメッセージをリレーノードが受信し、
上記リレーノードが、受信した上記メッセージにて指示された、上記MBSFNサブフレームの伝送フレームでの位置に基づいて、上記MBSFNサブフレームをミュートすることを含むことを特徴とする方法。
【請求項２】
上記リレーノードが、上記MBSFNサブフレームをミュートすることは、
上記リレーノードが、上記MBSFNサブフレームを空白サブフレームに設置し、上記空白サブフレームのすべてがPDCCH制御シグナリング及びパイロット周波数の伝送に用いられ、又は、上記空白サブフレームがいかなる情報も伝送しなく、又は、
上記リレーノードが、上記MBSFNサブフレームを空白MBSFNサブフレームに設置し、上記空白MBSFNサブフレームのすべてがPDCCH制御シグナリング伝送に用いられ、又は、
上記リレーノードが、上記MBSFNサブフレームにおいて上記eMBMSサービスの制御情報を有することを含むことを特徴とする請求項１に記載の方法。
【請求項３】
上記リレーノードは、ネットワーク側が送信するMCCH配置情報を受信し、
上記リレーノードは、上記MCCH配置情報を上記ユーザ端末へ送信することをさらに含むことを特徴とする請求項１に記載の方法。
【請求項４】
リレーノードであって、
ネットワーク側が送信する、eMBMSサービスに関する単一周波数ネットワークにおけるマルチキャストブロードキャストMBSFNサブフレームの伝送フレームでの位置を指示するためのメッセージを受信するための受信ユニットと、
上記メッセージで指示される、上記MBSFNサブフレームの伝送フレームでの位置を取得するための位置取得ユニットと、
取得した、上記MBSFNサブフレームの伝送フレームでの位置に基づいて上記MBSFNサブフレームをミュートするためのミュートユニットとを含むことを特徴とするリレーノード。
【請求項５】
上記ミュートユニットは、具体的に、下記の方式：
上記MBSFNサブフレームを空白サブフレームに設置すること、または
上記MBSFNサブフレームを空白MBSFNサブフレームに設置すること、または
上記MBSFNサブフレーム中に上記eMBMSサービスの制御情報を有することの何れか一つにより、上記MBSFNサブフレームをミュートすることを特徴とする請求項４に記載のリレーノード。
【請求項６】
上記受信ユニットは、さらに、ネットワーク側が送信するMCCH配置情報を受信し、
上記リレーノードは、上記MCCH配置情報をユーザ端末へ送信するための送信ユニットをさらに含むことを特徴とする請求項４に記載のリレーノード。
【請求項７】
基地局であって、
eMBMSサービスに関する単一周波数ネットワークにおけるマルチキャストブロードキャストMBSFNサブフレームの伝送フレームでの位置を特定する特定ユニットと、
特定した位置に基づいて、eMBMSサービスに関するMBSFNサブフレームの伝送フレームでの位置を指示するためのメッセージをリレーノードへ送信する送信ユニットとを含むことを特徴とする基地局。
【請求項８】
上記送信ユニットは、具体的に、配置された専用シグナリングにより、eMBMSサービスに関するMBSFNサブフレームの伝送フレームでの位置を指示するためのメッセージをリレーノードへ送信することを特徴とする請求項７に記載の基地局。
【請求項９】
リレーネットワークにおいて強化型マルチメディアブロードキャストマルチキャストeMBMSサービスをサポートする方法であって、
ユーザ端末が、リレーノードが送信する伝送フレームにおいて当該リレーノードによりミュートされたMBSFNサブフレームが存在するかどうかを確認し、
ユーザ端末が、存在すると確認した場合に、受信したeMBMSサービスの制御情報に基づいて上記リレーノード以外のデバイスが送信するeMBMSサービスを受信することを含むことを特徴とする方法。
【請求項１０】
ユーザ端末が、受信したeMBMSサービスの制御情報に基づいて、上記リレーノード以外のデバイスが送信するeMBMSサービスを受信することは、
上記ユーザ端末が、上記リレーノードが送信するeMBMSサービスのシステム情報、及び上記リレーノード以外のデバイスが送信するeMBMSサービスのマルチキャスト制御チャネル情報を受信して、eMBMSサービスの制御情報を取得し、
上記ユーザ端末が、上記eMBMSサービスの制御情報に基づいて、上記リレーノード以外のデバイスが送信するeMBMSサービスのデータ情報を取得することを含むことを特徴とする請求項９に記載の方法。
【請求項１１】
ユーザ端末が、受信したeMBMSサービスの制御情報に基づいて、上記リレーノード以外のデバイスが送信するeMBMSサービスを受信することは、
上記ユーザ端末が、上記リレーノードが伝送するeMBMSサービスの制御情報を受信し、
上記ユーザ端末が、上記制御情報に基づいて、上記リレーノード以外のデバイスが送信するeMBMSサービスのデータ情報を取得することを含むことを特徴とする請求項９に記載の方法。
【請求項１２】
ユーザ端末が、受信したeMBMSサービスの制御情報に基づいて、上記リレーノード以外のデバイスが送信するeMBMSサービスを受信することは、
上記ユーザ端末が、上記リレーノード以外のデバイスが送信するeMBMSサービスの制御情報を受信し、
上記ユーザ端末が、上記制御情報に基づいて、上記リレーノード以外のデバイスが送信するeMBMSサービスのデータ情報を取得することを含むことを特徴とする請求項９に記載の方法。
【請求項１３】
ユーザ端末であって、
リレーノードが送信する伝送フレームにおいて上記リレーノードによりミュートされたMBSFNサブフレームが存在するかどうかを確認する確認ユニットと、
存在すると確認された場合に、受信したeMBMSサービスの制御情報に基づいて、上記リレーノード以外のデバイスが送信するeMBMSサービスを受信する受信ユニットとを含むことを特徴とするユーザ端末。
【請求項１４】
上記受信ユニットは、具体的に、上記リレーノードが送信するeMBMSサービスのシステム情報、及び上記リレーノード以外のデバイスが送信するeMBMSサービスのマルチキャスト制御チャネル情報を受信して、eMBMSサービスの制御情報を取得し、上記eMBMSサービスの制御情報に基づいて、上記リレーノード以外のデバイスが送信するeMBMSサービスのデータ情報を取得することを特徴とする請求項１３に記載のユーザ端末。
【請求項１５】
上記受信ユニットは、具体的に、上記リレーノードが伝送するeMBMSサービスの制御情報を受信し、上記制御情報に基づいて上記リレーノード以外のデバイスが送信するeMBMSサービスのデータ情報を取得することを特徴とする請求項１３に記載のユーザ端末。
【請求項１６】
上記受信ユニットは、具体的に、上記リレーノード以外のデバイスが送信するeMBMSサービスの制御情報を受信し、上記制御情報に基づいて上記リレーノード以外のデバイスが送信するeMBMSサービスのデータ情報を取得することを特徴とする請求項１３に記載のユーザ端末。
【請求項１７】
リレーネットワークにおいて強化型マルチメディアブロードキャストマルチキャストeMBMSサービスをサポートする方法であって、
リレーノードが、ネットワーク側が送信するMCCH配置情報を受信し、
上記リレーノードが、受信した上記MCCH配置情報をユーザ端末へ送信することを含み、
上記リレーノードは、ネットワーク側が専用制御シグナリングにより送信する上記MCCH配置情報を受信し、
上記リレーノードは、専用制御シグナリング又はシステムブロードキャストメッセージにより上記MCCH配置情報を上記ユーザ端末へ送信することを特徴とする方法。
【請求項１８】
リレーノードであって、
ネットワーク側が送信するMCCH配置情報を受信するための受信ユニットと、
受信した上記MCC配置情報をユーザ端末へ送信するための送信ユニットとを含み、
上記受信ユニットは、具体的に、ネットワーク側が専用制御シグナリングにより送信するMCCH配置情報を受信し、
上記送信ユニットは、具体的に、専用制御シグナリング又はシステムブロードキャストメッセージにより上記MCCH配置情報を上記ユーザ端末へ送信することを特徴とするリレーノード。
【請求項１９】
リレーネットワークにおけるMCCH修正通知の送信方法であって、
リレーノードが、基地局からマルチキャストブロードキャストサービス制御チャネルMCCH修正通知情報を受信し、上記MCCH修正通知情報をユーザ端末に送信することを含み、
上記リレーノードは、上記MCCH修正通知に対応するMCCH修正境界の前に、上記MCCH修正通知情報を受信し、且つ、上記MCCH修正通知情報に対応するMCCH修正境界の前に、上記MCCH修正通知情報をユーザ端末に送信し、
上記リレーノードは、上記MCCH修正通知に対応するMCCH修正境界の前に、上記MCCH修正通知情報を受信し、且つ、上記MCCH修正通知情報に対応するMCCH修正境界の前に、上記MCCH修正通知情報をユーザ端末に送信することは、具体的に、
上記リレーノードは、システムにより指定された又は基準により規定された第1の時間に基づいて、基地局から上記MCCH修正通知情報を受信し、上記第1の時間は、上記MCCH修正通知情報に対応するMCCH修正境界の前であり、
上記リレーノードは、システムにより指定された又は基準により規定された第2の時間に基づいて、受信した上記MCCH修正通知情報をユーザ端末に送信し、上記第2の時間は、上記MCCH修正通知情報に対応するMCCH修正境界の前である
ことを特徴とする方法。
【請求項２０】
上記リレーノードは、上記MCCH修正通知に対応するMCCH修正境界の前に、上記MCCH修正通知情報を受信し、且つ、上記MCCH修正通知情報に対応するMCCH修正境界の前に、上記MCCH修正通知情報をユーザ端末に送信することは、具体的に、
上記リレーノードは、基地局が上記MCCH修正通知情報を送信する時に、当該基地局の送信する通知情報をモニタリングすることにより、上記MCCH修正通知情報を受信し、ここで、基地局が上記MCCH修正通知情報を送信するのは、上記MCCH修正通知情報に対応するMCCH修正境界の前であり、
上記リレーノードは、MCCH修正通知情報を受信した後に、基地局からモニタリングしたMCCH修正通知情報をユーザ端末に送信することを特徴とする請求項１９に記載の方法。
【請求項２１】
上記リレーノードが上記MCCH修正通知情報を受信する前に、基地局からMCCH修正通知送信配置情報を受信することをさらに含み、
上記リレーノードが上記MCCH修正通知情報を受信することは、具体的に、上記リレーノードが、受信した上記MCCH修正通知送信配置情報に基づいて、MCCH修正通知情報を受信することを特徴とする請求項２０に記載の方法。
【請求項２２】
上記リレーノードは、基地局からMCCH修正通知送信配置情報を受信し、且つ上記MCCH修正通知送信配置情報をユーザ端末に送信することをさらに含むことを特徴とする請求項１９に記載の方法。
【請求項２３】
上記リレーノードは、上記MCCH修正通知に対応するMCCH修正境界の前に、上記MCCH修正通知送信配置情報を受信し、且つ当該MCCH修正境界の前に、上記MCCH修正通知送信配置情報をユーザ端末に送信することを特徴とする請求項２２に記載の方法。
【請求項２４】
上記リレーノードは、システムにより指定された又は基準により規定された第3の時間に基づいて、基地局から上記MCCH修正通知送信配置情報を受信し、上記指定された又は規定された第3の時間は、上記MCCH修正通知情報に対応するMCCH修正境界の前であることを特徴とする請求項２２に記載の方法。
【請求項２５】
上記MCCH修正通知送信配置情報は、
上記MCCH修正通知情報に対応する送信位置情報と、
リレーノード又は／及びユーザ端末が一つのMCCH修正周期内においてMCCH修正通知情報を検出していない場合に当該通知情報の受信を試みる最小回数とを含むことを特徴とする請求項２１に記載の方法。
【請求項２６】
リレーノードデバイスであって、
基地局からMCCH 修正通知情報を受信するための第1の受信モジュールと、
上記第1の受信モジュールが受信したMCCH 修正通知情報をユーザ端末に送信する第1の送信モジュールとを含み、
上記第1の受信モジュールは、具体的に、上記MCCH修正通知に対応するMCCH修正境界の前に、上記MCCH修正通知情報を受信し、
上記第1の送信モジュールは、具体的に、上記MCCH修正通知情報に対応するMCCH修正境界の前に、上記MCCH修正通知情報をユーザ端末に送信し、
上記第1の受信モジュールは、具体的に、システムにより指定された又は基準により規定された第1の時間に基づいて、基地局から上記MCCH修正通知情報を受信し、上記第1の時間は、上記MCCH修正通知情報に対応するMCCH修正境界の前であり、
上記第1の送信モジュールは、具体的に、システムにより指定された又は基準により規定された第2の時間に基づいて、受信した上記MCCH修正通知情報をユーザ端末に送信し、上記第2の時間は、上記MCCH修正通知情報に対応するMCCH修正境界の前であることを特徴とするデバイス。
【請求項２７】
上記第1の受信モジュールは、具体的に、基地局が上記MCCH修正通知情報を送信する時に、基地局が送信する通知情報をモニタリングすることにより、上記MCCH修正通知情報を受信し、基地局が上記MCCH修正通知情報を送信することは、上記MCCH修正通知情報に対応するMCCH修正境界の前であり、
上記第1の送信モジュールは、具体的に、上記第1の受信モジュールがMCCH修正通知情報を受信した後に、基地局からモニタリングしたMCCH修正通知情報をユーザ端末に送信することを特徴とする請求項２６に記載のデバイス。
【請求項２８】
第1の受信モジュールが基地局からMCCH修正通知情報を受信する前に、基地局からMCCH修正通知送信配置情報を受信する第3の受信モジュールをさらに含み、
上記第1の受信モジュールは、具体的に、第3の受信モジュールが受信した上記MCCH修正通知送信配置情報に基づいて、MCCH修正通知情報を受信することを特徴とする請求項２６に記載のデバイス。
【請求項２９】
基地局からMCCH 修正通知送信配置情報を受信する第2の受信モジュールと、
上記第2の受信モジュールが受信した上記MCCH 修正通知送信配置情報をユーザ端末に送信する第2の送信モジュールとを含むことを特徴とする請求項２６に記載のデバイス。
【請求項３０】
上記第2の受信モジュールは、具体的に、上記MCCH修正通知に対応するMCCH修正境界の前に、上記MCCH修正通知送信配置情報を受信し、
上記第2の送信モジュールは、具体的に、上記MCCH修正境界の前に上記MCCH修正通知送信配置情報をユーザ端末に送信することを特徴とする請求項２９に記載のデバイス。
【請求項３１】
リレーネットワークにおいてMCCH修正通知送信配置情報を送信する方法であって、
リレーノードが、基地局が送信するMCCH修正通知送信配置情報を受信することを含み、
上記リレーノードは、上記MCCH修正通知送信配置情報が指示する、MCCH修正通知情報送信に対応する単一周波数ネットワークにおけるマルチキャストブロードキャストMBSFNサブフレームにおいてデータを伝送する直交波周波数分割多重OFDM符号をミュートに設置することをさらに含むことを特徴とする方法。
【請求項３２】
上記リレーノードが、受信したMCCH修正通知送信配置情報をユーザ端末に送信することをさらに含むことを特徴とする請求項３１に記載の方法。
【請求項３３】
リレーノードデバイスであって、
基地局が送信するMCCH修正通知送信配置情報を受信する受信モジュールと、
上記受信モジュールが受信した上記MCCH 修正通知送信配置情報が指示するMCCH 修正通知情報送信に対応する単一周波数ネットワークにおけるマルチキャストブロードキャストMBSFNサブフレームにおいてデータを伝送する直交波周波数分割多重OFDM符号をミュートに設置する設置モジュールとを含むことを特徴とするデバイス。
【請求項３４】
上記受信モジュールが受信したMCCH修正通知送信配置情報をユーザ端末に送信する送信モジュールをさらに含むことを特徴とする請求項３３に記載のデバイス。
【発明の詳細な説明】
【技術分野】
【０００１】
本発明は、移動通信技術分野に関し、特に、リレーネットワークにおいてeMBMSサービスをサポートする方法、システム及びデバイス、リレーネットワークにおいてMCCH修正通知を送信する方法及びデバイス、並びにリレーネットワークにおいてMCCH修正通知送信配置情報を送信する方法及びデバイスに関する。
【背景技術】
【０００２】
第3世代移動体通信システムの標準化プロジェクト3GPP（3GPP：3rd Generation Partnership Project）ロング・ターム・エボリューション（LTE：Long Time Evolution）Release9バージョンにおいて、強化型マルチメディアブロードキャストマルチキャストサービス（eMBMS：enhanced Multimedia Broadcast Multicast Service）は、マルチセル方式、即ち、いわゆる単一周波数ネットワークにおけるマルチキャストブロードキャスト（MBSFN，Multicast/Broadcast over Single Frequency Network）方式により伝送することができ、こうすると、同一のデータは、複数のセル内で同一変調・符号化方式を採用し、同じ物理資源上で同時に送信され、端末は、異なるセルで受信した信号を合併することができ、その伝送のフレーム構成は図1に示すようである。eMBMSサービスをサポートする端末は、リレーノードにおいて複数のセルから同じeMBMSサービスを受信することができ、且つ受信した複数のeMBMSサービスは互いに干渉することはない。
【０００３】
LTE Release10バージョンにおいて、リレーノード（RN：Relay Node）は、システムのカバーエリアを拡大し、システムの容量を向上する重要な手段としてネットワークに導入されている。RNは、LTE Release10ネットワークにおいて一つの基地局に類似し、その自身の独立した物理的セル標識（Physical Cell id）を有するので、そのネットワークデプロイメントシーンはピコセル（pico cell）に類似し、具体的なネットワーク構成の模式図は図2に示すようである。
【０００４】
従来技術では、RNがユニキャスト方式でその下位の端末と通信し、RNがMBSFN伝送をサポートせず、図1に示すMBSFNサブフレーム構成においてユニキャストデータを送信すると、eMBMSサービスをサポートする端末が、リレーノードにおいてリレーノードにより送信されたユニキャストデータを受信し、対応するeMBMSサービスデータを受信することができず、且つ受信したユニキャストサービスは、他のセルの送信したeMBMSサービスの影響で大きく妨害される。
【０００５】
また、MBMSサービス制御チャネル（MCCH：MBMS Control Channel）は、LTE MBMSシステムにおけるポイント・ツー・マルチポイント（point-to-multipoint）のダウンリンクチャネルであり、ネットワーク側からユーザ端末（UE：User Equipment）側への制御情報を伝送するためのものである。ネットワーク側はブロードキャスト制御チャネル（BCCH：Broadcast Control Channel）においてUEへMCCHの位置情報を指示することにより、ユーザ端末が指示された位置に応じてMCCH上で伝送される情報を読取れるようにする。
【０００６】
MCCH上で伝送される情報は、一般的に、LTE MBMSサービス情報と、無線リソース割当関連情報を含む。MBMSサービス情報は、セルで取得可能なMBMSサービスを指示するためのものである。各種のサービスについては、サービス標識（サービスID）、セッション標識（セッションID）等の情報を含むことができる。無線リソース割当関連情報とは、一種又は多種のMBMSサービスがサービスするセルを記述するために使用する無線リソース情報を言う。各種のサービスについては、サービスが占有する物理チャネル情報、伝送チャネル情報等、及びその他の情報を含むことができる。
【０００７】
MCCHの持っている情報が変化した場合には、例えば、MBMSのサービスに変化が生じ、セッション又は無線搭載情報等にが変化が生じた場合には、ネットワーク側はユーザ端末に通知する必要があり、即ち、ネットワーク側はユーザ端末にMCCH修正通知を送信する必要があり、ユーザ端末はMCCH修正通知を受信した後に、MCCHを傍受することにより変化後の新しい情報を取得する。
【０００８】
しかし、LTE Release10バージョンにおいて、いかに、RNを導入するネットワークにおいて、RN導入による、UEのMBMSサービス受信に対する影響を無くし、MCCH修正通知をタイムリーに受信するかは、解決すべき課題であり、未だに、相応する解決方案がなかった。
【発明の概要】
【０００９】
本発明の実施形態は、リレーネットワークにおいてeMBMSサービスをサポートする方法、システム及びデバイスを提供して、リレーノードがeMBMSサービスに対する影響を無くすようにする。
【００１０】
本発明の実施形態は、さらに、リレーネットワークにおいてMCCH修正通知の送信方法及びデバイス、MCCH修正通知送信配置情報の送信方法及びデバイスを提供して、リレーネットワークにおけるMCCH修正通知の送信を実現し、及びMCCH修正通知送信配置情報の送信を実現するようにする。
【００１１】
リレーネットワークにおいて強化型マルチメディアブロードキャストマルチキャストeMBMSサービスをサポートする方法であって、ネットワーク側が送信する、eMBMSサービスに関する単一周波数ネットワークにおけるマルチキャストブロードキャストMBSFNサブフレームの伝送フレームでの位置を指示するためのメッセージリレーノードがを受信し、上記リレーノードが、受信した上記メッセージで指示した上記MBSFNサブフレームの伝送フレームでの位置に基づいて上記MBSFNサブフレームをミュートすることを含む。
【００１２】
リレーノードであって、ネットワーク側が送信する、eMBMSサービスに関する単一周波数ネットワークにおけるマルチキャストブロードキャストMBSFNサブフレームの伝送フレームでの位置を指示するためのメッセージを受信するための受信ユニットと、上記メッセージで指示される、上記MBSFNサブフレームの伝送フレームでの位置を取得するための位置取得ユニットと、取得した、上記MBSFNサブフレームの伝送フレームでの位置に基づいて上記MBSFNサブフレームをミュートするためのミュートユニットとを含む。
【００１３】
リレーネットワークにおいて強化型マルチメディアブロードキャストマルチキャストeMBMSサービスをサポートする方法であって、ネットワーク側が、eMBMSサービスに関する単一周波数ネットワークにおけるマルチキャストブロードキャストMBSFNサブフレームの伝送フレームでの位置を特定し、特定した位置に基づいて、eMBMSサービスに関するMBSFNサブフレームの伝送フレームでの位置を指示するためのメッセージをリレーノードへ送信することを含む。
【００１４】
基地局であって、eMBMSサービスに関する単一周波数ネットワークにおけるマルチキャストブロードキャストMBSFNサブフレームの伝送フレームでの位置を特定するための特定ユニットと、特定した位置に基づいて、eMBMSサービスに関するMBSFNサブフレームの伝送フレームでの位置を指示するためのメッセージをリレーノードへ送信する送信ユニットとを含む。
【００１５】
リレーネットワークにおいて強化型マルチメディアブロードキャストマルチキャストeMBMSサービスをサポートする方法であって、ユーザ端末が、リレーノードが送信する伝送フレームにおいて当該リレーノードによりミュートされたMBSFNサブフレームが存在するかどうかを確認し、ユーザ端末が、存在すると確認した場合に、受信したeMBMSサービスの制御情報に基づいて上記リレーノード以外のデバイスが送信するeMBMSサービスを受信することを含む。
【００１６】
ユーザ端末であって、リレーノードが送信する伝送フレームにおいて上記リレーノードによりミュートされたMBSFNサブフレームが存在するかどうかを確認するための確認ユニットと、存在すると確認された場合に、受信したeMBMSサービスの制御情報に基づいて上記リレーノード以外のデバイスが送信するeMBMSサービスを受信するための受信ユニットとを含む。
【００１７】
リレーネットワークにおいて強化型マルチメディアブロードキャストマルチキャストeMBMSサービスをサポートするシステムであって、ネットワーク側デバイスと、リレーノードと、ユーザ端末とを含み、上記ネットワーク側デバイスは、eMBMSサービスに関するMBSFNサブフレームの伝送フレームでの位置を指示するためのメッセージをリレーノードへ送信し、上記リレーノードは、ネットワーク側デバイスが送信するメッセージに基づいて、上記MBSFNサブフレームの伝送フレームでの位置を特定し、特定した位置情報に基づいてMBSFNサブフレームをミュートし、ユーザ端末は、受信したeMBMSサービスの制御情報に基づいて上記リレーノード以外のデバイスが送信するeMBMSサービスを受信する。
【００１８】
リレーネットワークにおいて強化型マルチメディアブロードキャストマルチキャストeMBMSサービスをサポートする方法であって、リレーノードが、ネットワーク側が送信するMCCH配置情報を受信し、上記リレーノードが、受信した上記MCCH配置情報をユーザ端末へ送信することを含む。
【００１９】
リレーノードであって、ネットワーク側が送信するMCCH配置情報を受信するための受信ユニットと、受信した上記MCCH情報をユーザ端末へ送信する送信ユニットとを含む。
【００２０】
リレーネットワークにおいて強化型マルチメディアブロードキャストマルチキャストeMBMSサービスをサポートするシステムであって、ネットワーク側デバイスと、リレーノードと、ユーザ端末とを含み、上記ネットワーク側デバイスは、MCCH配置情報をリレーノードへ送信し、上記リレーノードは、上記MCCH配置情報を受信しユーザ端末へ送信する。
【００２１】
本発明の実施形態においては、ネットワーク側がeMBMSサービスに関するMBSFNサブフレームが伝送フレームでの位置をリレーノードへ通知し、リレーノードが通知した位置に基づいてMBSFNサブフレームをミュートすることにより、ユーザ端末がリレーノード以外のデバイスが送信するeMBMSサービスを受信することができるようにして、リレーノードのeMBMSサービスをサポートするユーザ端末への影響を無くし、ユーザ端末がeMBMSサービスを順調に受信することができるようにする。
【００２２】
なお、本発明の実施形態において、ネットワーク側がMCCH配置情報をリレーノードへ送信し、さらに、リレーノードによりMCCH配置情報をユーザ端末に転送することにより、ユーザ端末は、MCCH配置情報に基づいてMCCHの送信位置及び時間にeMBMSサービスのMCCH情報を正確に受信することができる。
【００２３】
本発明の実施形態が提供したリレーネットワークにおいて、MCCH修正通知の送信方法は、リレーノードが基地局からMCCH修正通知情報を受信し上記MCCH修正通知情報をユーザデバイスに送信することを含む。
【００２４】
本発明の実施形態が提供するリレーノードデバイスは、基地局からMCCH 修正通知情報を受信する第1の受信モジュールと、上記第2の受信モジュールが受信したMCCH 修正通知送信配置情報をユーザ端末に送信する第1の送信モジュールとを含む。
【００２５】
本発明の上記実施形態は、リレーノードが基地局から受信したMCCH修正通知情報をユーザ端末に送信することにより、ユーザ端末がMCCH修正通知情報に基づいて、MCCH修正境界で修正後のMCCH内容を読取ることができるようにし、MCCH内容はMBMSサービス情報と、無線リソース割り当て関連情報とを含み、これにより、ユーザ端末のMBMSサービス関連情報に対する受信を保証する。
【００２６】
本発明の実施形態が提供するリレーネットワークにおいて、MCCH 修正通知送信配置情報の送信方法は、リレーノードが、基地局が送信するMCCH 修正通知送信配置情報を受信することを含む。
【００２７】
本発明の実施形態が提供するリレーノードデバイスは、基地局が送信するMCCH 修正通知送信配置情報を受信するための受信ユニットを含む。
【００２８】
本発明の実施形態は、基地局がMCCH 修正通知送信配置情報をリレーノードに送信することにより、中心ネットワークにおいてMCCH 修正通知送信配置情報を送信することを実現する一方、リレーノードの後続の処理、例えば、さらにMCCH 修正通知送信配置情報をユーザ端末に送信する、又は他の配置操作に可能性を提供する。
【図面の簡単な説明】
【００２９】
【図１】従来技術におけるMBSFNサブフレームの伝送構造の模式図である。
【図２】従来技術におけるリレーノードを導入したRelease10ネットワーク構造の模式図である。
【図３】本発明の実施形態1が提供するリレーネットワークにおいてeMBMSサービスをサポートする方法の流れの模式図である。
【図４】本発明の実施形態2が提供するeMBMS構成の模式図である。
【図５】本発明の実施形態2が提供するeMBMS構成模式図である。
【図６】本発明の実施形態2が提供したリレーネットワークにおいてeMBMSサービスをサポートする方法の流れの模式図である。
【図７】本発明の実施形態3が提供したリレーネットワークにおいてeMBMSサービスをサポートするシステムの構成模式図である。
【図８】本発明の実施形態4が提供するリレーノードの構造の模式図である。
【図９】本発明の実施形態5が提供する基地局の構造の模式図である。
【図１０】本発明の実施形態6が提供するユーザ端末の構造の模式図である。
【図１１】本発明の実施形態7が提供するリレーネットワークにおいてeMBMSサービスをサポートする方法の流れの模式図である。
【図１２】従来技術において、リレーノードを導入したRelease10ネットワークの構成の模式図である。
【図１３】本発明の実施形態10が提供するMCCH修正通知情報の送信流れの模式図である。
【図１４】図13に示す流れを実現するためのRN装置の構造の模式図である。
【図１５】本発明の実施形態11が提供するMCCH修正通知情報の送信流れの模式図である。
【図１６】図15に示す流れを実現するためのRNデバイスの構造の模式図である。
【図１７】本発明の実施形態12が提供するMCCH修正通知情報の送信の流れの模式図である。
【図１８】図17に示す流れを実現するためのRN装置の構造の模式図である。
【図１９】本発明の実施形態13が提供するMCCH修正通知送信配置情報の送信の流れの模式図である。
【図２０】図19に示す流れを実現するためのRN装置の構造の模式図である。
【図２１】本発明の実施形態14が提供するMCCH修正通知送信配置情報の送信の流れの模式図である。
【発明を実施するための形態】
【００３０】
以下、本発明の実施形態の図面に基づいて、本発明の実施形態の技術的案を、明瞭且つ完備に説明するが、以下に説明する実施形態は、ただ本発明の一部の実施形態に過ぎず、全部の実施形態ではないことが明らかである。本発明の実施形態に基づいて、当業者が創造的労働を経ずに得られるあらゆるの実施形態も本発明の実施形態の保護範囲に含まれる。
【００３１】
本発明の実施形態の主旨は、リレーノードが、eMBMSサービスに関するMBSFNサブフレームをミュートすることにより、ユーザ端末のeMBMSサービスを受信することへの影響を防止することにある。
【００３２】
本発明の実施形態1は、リレーネットワークにおいて強化型マルチメディアブロードキャストマルチキャストeMBMSサービスをサポートする方法を提供し、図3に示すように、以下のステップを含む。
【００３３】
ステップ301において、ネットワーク側が、eMBMSサービスに関する、単一周波数ネットワークにおけるマルチキャストブロードキャストMBSFNサブフレームの伝送フレームでの位置を指示するためのメッセージをリレーノードへ送信する。
【００３４】
当該指示メッセージは、ネットワーク側とリレーノードの間で予め設置した専用シグナリングにより実現することが好ましい。
【００３５】
ステップ302において、上記リレーノードは、受信した指示メッセージに基づいて、上記MBSFNサブフレームの伝送フレームでの位置を特定し、特定した位置に基づいて上記MBSFNサブフレームをミュートする。リレーノードは、以下の何れか一つの方式により上記MBSFNサブフレームをミュートすることができる。即ち、
上記リレーノードが上記MBSFNサブフレームを空白サブフレームに設置すること、又は、
上記リレーノードが上記MBSFNサブフレームを空白MBSFNサブフレームに設置すること、又は、
上記リレーノードが上記MBSFNサブフレームにおいて対応する強化型マルチメディアブロードキャストマルチキャストサービスの制御情報を持たせることである。
【００３６】
具体的には、空白MBSFNサブフレームのすべてはPDCCH制御シグナリングに用いられてもよく、空白サブフレームのすべてはPDCCH制御シグナリング及びパイロット周波数の伝送に用いられてもよく、又は、空白サブフレームがいかなる情報も伝送しなくてもよい。
【００３７】
ステップ303において、上記ユーザ端末は、リレーノードの送信した伝送フレームに当該リレーノードによりミュートされたMBSFNサブフレームが存在することを特定した場合に、受信したeMBMSサービスの制御情報に基づいて上記リレーノード以外のデバイスが送信するeMBMSサービスを受信する。
【００３８】
上記リレーノードが上記MBSFNサブフレームを空白サブフレームに設置すると、上記ユーザ端末は、当該リレーノード以外のデバイス（例えば、進化基地局（eNB，enhanced Node-B））が送信するeMBMSサービスの制御情報を受信し、当該制御情報に基づいてeMBMSサービスのデータ情報を取得する。
【００３９】
上記リレーノードがeMBMSサービスの制御情報を転送すると、上記ユーザ端末は、リレーノードが転送したeMBMSサービスの制御情報に基づいて当該リレーノード以外のデバイスが送信するeMBMSサービスのデータ情報を受信する。
【００４０】
上記リレーノードがeMBMSサービスの一部の制御情報、即ちeMBMSサービスのシステム情報を転送すると、上記ユーザ端末は、当該システム情報に基づき、且つ当該リレーノード以外のデバイスが送信するeMBMSサービスのマルチキャスト制御チャネル情報を取得して、上記受信したシステム情報とマルチキャスト制御チャネル情報とを合併して上記eMBMSサービスの制御情報を得て、当該得られた制御情報に基づいてリレーノード以外のデバイスが送信するeMBMSサービスのデータ情報を受信する。
【００４１】
本発明の実施形態2は、リレーネットワークにおいて強化型マルチメディアブロードキャストマルチキャストeMBMSサービスをサポートする方法を提供する。
【００４２】
図4と図5に示すように、RNのリターンリンクに問題がないと、相応するコントロールプレーンインターフェースM2とユーザプレーンインターフェースM1がRNまで延びることができ、且つ一部部分的にそのまま用いる方式によりeMBMSサービス伝送を行う。図4に示すリレー構成において、Relay-UE’s移動性管理エンティティ（MME：Mobility Management Entity）、User-UE’sマルチメディアブロードキャストマルチキャストサービス制御エンティティ（MCE：MBMS  Contorol Entity）、基地局Donor-eNB及びリレーノード等のデバイスが含まれ、RNは、進化型基地局（eNB：enhanced Node-B）に相当する機能を有し、Donor-eNB（基地局）とeMBMSサービス情報を直接にやり取りすることができ、ユーザ端末にeMBMSデータサービスを送信する。図5に示すリレー構成において、MCE、MME、Donor-eNB及びRN等が含まれ、RNは、受信したeMBMSサービスを直接に転送することができる。
【００４３】
本発明の実施形態が提供する方法は、主に、RNのリターンリンクに問題がある場合、即ちRNがeMBMSサービスを転送することができない場合に着目している。図6に示すように、当該方法は、以下のステップを含む。
【００４４】
ステップ601において、ネットワーク側が、eMBMSサービスに関するMBSFNサブフレームが伝送フレームでの位置を指示するためのメッセージをRNへ送信する。
【００４５】
具体的には、本発明の実施形態において、ネットワーク側（例えば、基地局）とRNの間に専用シグナリングを配置して、eMBMSサービスに関するMBSFNサブフレームの伝送フレームでの位置を指示するためのメッセージを伝送する。ネットワーク側がeMBMSサービスに関するメッセージをRNへ送信する場合には、専用シグナリングにより、eMBMSサービスに関するMBSFNサブフレームの伝送フレームでの位置を指示するためのメッセージを、RNへ送信する。当該シグナリングにおいてeMBMSサービスの制御情報、例えばeMBMSサービスのデータ情報がMBSFNサブフレームでの具体的送信位置等を有しても良い。
【００４６】
ステップ602において、RNは、受信したメッセージに基づいて、MBSFNサブフレームの伝送フレームでの位置を特定し、特定した位置情報に基づいてMBSFNサブフレームをミュートし、伝送フレームにおけるその他の位置により、eMBMSサービスメッセージをユーザ端末へ送信する。
【００４７】
具体的には、RNは、専用シグナリングによりMBSFNサブフレームの伝送フレームでの位置を取得し、そして、当該位置のサブフレームを空白サブフレーム、又は空白MBSFNサブフレームに設置することができる。空白サブフレームとした場合、ユーザ端末は当該サブフレームからいかなる情報も取得することができないため、ユーザ端末が他のデバイスからeMBMSサービスを取得することに影響することはない。空白MBSFNサブフレームとした場合は、ユーザ端末は、当該サブフレームがeMBMSサービス情報を伝送するためのサブフレームであるはが分かるが、当該空白 MBSFNサブフレームから、いかなる情報も取得できない。
【００４８】
RNがネットワーク側からeMBMSサービスに関するシステム情報を取得することができると、RNはMBSFNサブフレームにおいて当該eMBMSサービスに関するシステム情報をユーザ端末へ伝送することもできる。ユーザ端末は、当該eMBMSサービスに関するシステム情報を取得した後に、さらに、RN以外のデバイス（例えば、基地局デバイス）から当該eMBMSサービスに関するマルチキャスト制御チャネル情報を取得し、eMBMSサービスに関するシステム情報とマルチキャスト制御チャネル情報とを合併してeMBMSサービスの制御情報を取得し、合併して得られた当該制御情報に基づいてRN以外のデバイスの送信するeMBMSサービスのデータ情報を受信する。
【００４９】
RNがネットワーク側からeMBMSサービスの制御情報を取得することができると、RNはMBSFNサブフレームにおいて当該eMBMSサービスの制御情報をユーザ端末へ伝送することができる。ユーザ端末は、eMBMSサービスの制御情報を受信した後に、直接に当該制御情報に基づいてRN以外のデバイスの送信するeMBMSサービスのデータ情報を受信する。
【００５０】
ステップ603において、上記ユーザ端末が、リレーノードの送信する伝送フレームに当該リレーノードによりミュートされたMBSFNサブフレームが存在することを特定した場合には、RN以外のデバイスからeMBMSサービスを受信する。
【００５１】
具体的には、当該ユーザ端末は、RNの下位のユーザ端末である。
【００５２】
RNがユーザ端末へ送信する伝送フレームにおいてMBSFNサブフレームを有する位置が空白サブフレーム又は空白MBSFNサブフレームであると、ユーザ端末は当該位置のサブフレームから、いかなるeMBMSサービス受信に関する情報も得られないことになる。この際に、ユーザ端末は、RN以外のeNB等のデバイスからeMBMSサービスの制御情報とデータ情報とを受信することができ、RNの送信する伝送フレームにおいてMBSFNサブフレームが空白であるので、ユーザ端末がeNB等のデバイスの送信するeMBMSサービス情報を受信することに影響することはなく、ユーザ端末はeMBMSサービス情報の正常な受信を実現することができる。
【００５３】
RNがMBSFNサブフレームにおいてeMBMSサービスの制御情報を有する場合は、ユーザ端末は、当該制御情報に基づいてeNB等のデバイスの送信するeMBMSサービスのデータ情報をモニタリングすることができる。
【００５４】
RNがMBSFNサブフレームにおいてeMBMSサービスに関するシステム情報を有する場合、ユーザ端末は、当該システム情報に基づいて他のデバイス（eNB等デバイス）の送信するeMBMSサービスに関するマルチキャスト制御チャネル情報をさらに受信することができ、eMBMSサービスに関するシステム情報とマルチキャスト制御チャネル情報とを合併してeMBMSサービスの制御情報を取得し、さらに、当該eMBMSサービスの制御情報に基づいてeNB等のデバイスの送信するeMBMSサービスのデータ情報をモニタリングする。この場合に、RNもeNB等のデバイスの送信するeMBMSサービスの制御情報を受信することができれば、RNとeNB等のデバイスの送信するeMBMSサービスの制御情報が相同であるので、互いに影響せず、且つ合併の後にeMBMSサービスの制御情報の信号強度を増強され、ユーザ端末がeMBMSサービスの制御情報を効率良く受信し、当該eMBMSサービスの制御情報に基づいてeMBMSサービスのデータ情報をさらに受信することにさらに有利である。
【００５５】
さらには、本発明の実施形態において、ユーザ端末によるeMBMSサービスのマルチキャスト制御チャネル（MCCH：Multicast Control Channel）情報の受信を保証するために、ネットワーク側（例えば、eNB）がMCCH 配置情報（MCCHの送信位置及び／又は繰返し周期等を含む）をRNへ送信して、RNにより当該MCCH配置情報をユーザ端末へ転送し、ユーザ端末がMCCH 配置情報に基づいてeMBMSサービスのMCCH情報を受信することもできる。なお、ネットワーク側は、専用制御シグナリングによりMCCH 配置情報をRNへ送信することができる。RNは、専用制御シグナリング又はシステムブロードキャストメッセージによりユーザ端末へ上記配置情報を送信することができる。
【００５６】
本発明の実施形態の提供した上記方案によれば、ネットワーク側は、eMBMSサービスに関するMBSFNサブフレームの伝送フレームでの位置情報をリレーノードに通知し、リレーノードは、当該通知した位置情報に基づいてMBSFNサブフレームをミュートし、伝送フレームをユーザ端末へ送信し、リレーノード以外のデバイスの送信するeMBMSサービスをユーザ端末に受信させることによって、リレーノードが、eMBMSサービスをサポートするユーザ端末への影響を防止し、eMBMSサービスをユーザ端末に順調に受信させる。
【００５７】
本発明の実施形態3は、リレーネットワークにおいて強化型マルチメディアブロードキャストマルチキャストeMBMSサービスをサポートするシステムを提供し、図7に示すように、ネットワーク側デバイス11と、リレーノード12と、ユーザ端末13とを含む。なお、上記ネットワーク側デバイス11は、eMBMSサービスに関するMBSFNサブフレームの伝送フレームでの位置を指示するためのメッセージをリレーノードへ送信する。上記リレーノード12は、ネットワーク側デバイス11が送信した当該メッセージに基づいて、上記MBSFNサブフレームが伝送フレームでの位置を特定し、特定した位置情報に基づいて上記MBSFNサブフレームをミュートし、eMBMSサービスメッセージをユーザ端末へ送信する。ユーザ端末13は、リレーノードの送信する伝送フレームに当該リレーノードによりミュートされたMBSFNサブフレームが存在することを特定すると、受信したeMBMSサービスの制御情報に基づいて上記リレーノード以外のデバイスの送信するeMBMSサービスを受信する。
【００５８】
本発明の実施形態4は、リレーノードを提供し、図8に示すように、ネットワーク側が送信する、eMBMSサービスに関するMBSFNサブフレームの伝送フレームでの位置を指示するためのメッセージを受信するための受信ユニット21と、受信したメッセージが有する、eMBMSサービスに関するMBSFNサブフレームの伝送フレームでの位置情報を取得するための位置取得ユニット22と、取得した上記MBSFNサブフレームの伝送フレームでの位置に基づいて上記MBSFNサブフレームをミュートするためのミュートユニット23とを含む。
【００５９】
当該リレーノードは、上記MBSFNサブフレームをミュートした後に、伝送フレームでの他の位置によりeMBMSサービスメッセージをユーザ端末へ送信するための送信ユニット24をさらに含むことができる。
【００６０】
上記ミュートユニット23は、具体的に、以下の方式の何れか一つにより、上記MBSFNサブフレームをミュートする。
【００６１】
上記MBSFNサブフレームを空白 サブフレームに設置すること、又は、
上記MBSFNサブフレームを空白MBSFNサブフレームに設置すること、又は、上記MBSFNサブフレームにおいて対応するeMBMSサービスのシステム情報、又は制御情報を持たせることである。
【００６２】
上記受信ユニット21は、具体的に、上記ネットワーク側が、配置した専用シグナリングにより送信される、MBSFNサブフレームの伝送フレームでの位置を指示するためのメッセージを受信する。
【００６３】
上記受信ユニット21は、さらにネットワーク側が送信するMCCH 配置情報を受信する。上記送信ユニット24は、さらに上記MCCH 配置情報をユーザ端末へ送信する。  
上記受信ユニット21は、具体的に、専用制御シグナリングにより送信するMCCH 配置情報をネットワーク側が受信することができる。
【００６４】
上記送信ユニット24は、具体的に、専用制御シグナリング又はシステムブロードキャストメッセージにより、上記MCCH 配置情報を上記ユーザ端末へ送信することができる。
【００６５】
なお、上記MCCH 配置情報においてMCCH の送信位置及び／又は繰返し周期を含んでもよいが、これに限定されない。
【００６６】
本発明の実施形態5は、基地局デバイスを提供し、図9に示すように、eMBMSサービスに関するMBSFNサブフレームの伝送フレームでの位置情報を特定するための特定ユニット31と、特定した位置情報に基づいて、eMBMSサービスに関するMBSFNサブフレームの伝送フレームでの位置を指示するためのメッセージをリレーノードへ送信するための送信ユニット32とを含む。具体的には、送信ユニット32は、配置した専用シグナリングにより、eMBMSサービスに関するMBSFNサブフレームの伝送フレームでの位置を指示するためのメッセージをリレーノードへ送信することができる。
【００６７】
本発明の実施形態6は、ユーザ端末を提供し、図10に示すように、リレーノードの送信する伝送フレームに、上記リレーノードによりミュートされたMBSFNサブフレームが存在するかどうかを確認する確認ユニット41と、存在すると確認された場合に、受信したeMBMSサービスの制御情報に基づいて上記リレーノード以外のデバイスの送信するeMBMSサービスを受信するための受信ユニット42とを含む。
【００６８】
上記受信ユニット42は、具体的に、リレーノードが送信するeMBMSサービスのシステム情報、及びリレーノード以外のデバイスが送信するeMBMSサービスのマルチキャスト制御チャネル情報を受信し、合併してeMBMSサービスの制御情報を取得し、合併して得られた当該eMBMSサービスの制御情報に基づいて上記リレーノード以外のデバイスの送信するeMBMSサービスのデータ情報を取得することができる。
【００６９】
上記受信ユニット42は、具体的に、上記リレーノードの伝送するeMBMSサービスの制御情報を受信し、上記制御情報に基づいて上記リレーノード以外のデバイスの送信するeMBMSサービスのデータ情報を直接に取得することができる。
【００７０】
上記受信ユニット42は、具体的に、上記リレーノード以外のデバイスの送信するeMBMSサービスの制御情報を受信し、上記制御情報に基づいて上記リレーノード以外のデバイスの送信するeMBMSサービスのデータ情報を直接に取得することもできる。
【００７１】
本発明の実施形態の提供する方法、システム及びデバイスによれば、ネットワーク側は、eMBMSサービスに関するMBSFNサブフレームが伝送フレームでの位置情報をリレーノードに通知し、リレーノードは、MBSFNサブフレームをミュートし、伝送フレームをユーザ端末へ送信し、リレーノード以外のデバイスの送信するeMBMSサービスをユーザ端末に受信させることによって、リレーノードの、eMBMSサービスをサポートするユーザ端末への影響を防止し、eMBMSサービスをユーザ端末に順調に受信させる。
【００７２】
また、本発明の実施形態7は、リレーネットワークにおいて強化型マルチメディアブロードキャストマルチキャストeMBMSサービスをサポートする方法を提供し、図11に示すように、以下のステップを含む。
【００７３】
ステップ1001において、ネットワーク側が、MCCH 配置情報をリレーノードへ送信する。
【００７４】
上記ネットワーク側は、専用シグナリングによりMCCH 配置情報（MCCH の送信位置及び／又は繰返し周期を含む）をリレーノードへ送信することができる。当該シグナリングは、RRC層シグナリング（例えば、RRC再配置シグナリング）であってもよく、他の専用制御シグナリング（例えば、MAC層シグナリング等）であってもよい。特に、配置情報は、LTE R9システムにおけるmcch-Config-r9メッセージの一部又は全部の情報であってもよい。
【００７５】
ステップ1002において、上記リレーノードは、MCCH 配置情報を受信しユーザ端末へ送信する。
【００７６】
上記リレーノードは、専用制御シグナリング（例えば、RRC再配置シグナリング）又はシステムブロードキャストメッセージ（例えば、SIB13）により、MCCH 配置情報を上記ユーザ端末へ送信することができる。
【００７７】
ここで、リレーノードは、MCCH 配置情報を受信した後に、確認受信情報をネットワーク側へ送信してもよく、同様に、ユーザ端末は、MCCH 配置情報を受信した後に、確認受信情報をリレーノードへ送信してもよい。
【００７８】
本発明の実施形態の提供する当該方案によれば、ネットワーク側がMCCH 配置情報をリレーノードへ送信し、リレーノードによりユーザ端末に転送し、ユーザ端末は、当該MCCH 配置情報に基づいて、MCCH の位置情報及び関連配置パラメータを取得することができるため、MCCH 配置情報に基づいてeMBMSサービスのMCCH 情報を正確に受信することができる。ネットワーク側がMCCH の位置情報又はいくつかのパラメータ（例えば、MCS）を変更した後、ユーザ端末は、新しいMCCH の位置をタイムリーに取得することができることによって、eMBMSサービスを正確に受信することができ、ユーザ端末のeMBMSサービスの機能を影響しない。
【００７９】
実施形態7と同じ技術的構想に基づいて、本発明の実施形態8は、リレーネットワークにおいて強化型マルチメディアブロードキャストマルチキャストeMBMSサービスをサポートする方法を提供し、ネットワーク側デバイスと、リレーノードと、ユーザ端末とを含む。なお、上記ネットワーク側デバイスは、MCCH 配置情報をリレーノードへ送信する。上記リレーノードは、MCCH 配置情報を受信してユーザ端末へ送信する。  
実施形態7と同じ技術的構想に基づいて、本発明の実施形態9は、リレーノードを提供し、ネットワーク側の送信するMCCH 配置情報を受信するための受信ユニットと、上記MCCH 配置情報をユーザ端末へ送信する送信ユニットとを含む。
【００８０】
上記受信ユニットは、具体的に、ネットワーク側が専用制御シグナリングにより送信するMCCH 配置情報を受信する。
【００８１】
上記送信ユニットは、具体的に、専用制御シグナリング又はシステムブロードキャストメッセージにより上記MCCH 配置情報をユーザ端末へ送信する。
【００８２】
なお、上記送信配置情報は、上記MCCH の送信位置及び／又は繰返し周期等を含む。
【００８３】
本発明の実施形態が提供する上記システムとリレーノードとを採用することにより、ネットワーク側がMCCH 配置情報をリレーノードへ送信し、リレーノードによりユーザ端末に転送することにより、ユーザ端末が上記MCCH 配置情報に基づいて、MCCH の送信位置及び時間にeMBMSサービスのMCCH 情報を正確に受信するようにできる。
【００８４】
一方、RNがLTEシステムを導入した後の、MBMSに関する通知シグナリングの伝送について、以下のニーズが存在する。
【００８５】
即ち、RNがMBMS伝送をサポートする場合に対して、RNは、MBMS伝送に関するMCCH 修正通知情報をUEにタイムリーに通知すべきであり、UEがMCCHの更新内容をタイムリーに受信するようにして、UEがMBMSサービスに関する情報に対する受信を保証すべきである。
【００８６】
RNがMBMS伝送をサポートしない場合に対して、依然としてMBSFN伝送ネットワークの特徴により、UEが他のセルのMBMSサービスの伝送情報を受信可能ににする必要があり、従って、UEがネットワーク側MCCHの変更通知をタイムリーに知ることができるように、シグナリング伝送メカニズムを制定する必要がある。
【００８７】
以上のリレーネットワークにおいてMCCH 修正通知情報を送信するニーズを満足するために、本発明の実施形態は、相応する解決方案を提供する。
【００８８】
RNがMBMS伝送をサポートする場合に対して、本発明の実施形態は、RNがMCCH 修正通知情報を送信する所定の送信時間の前に、DeNBからMCCH 修正通知送信配置情報及びそのMCCH 修正通知情報を取得し、MCCH 修正通知送信配置情報をUEに通知し、MCCH 修正通知情報の送信時間になると、RNとDeNBがMBSFN方式により、MCCH 修正通知情報を同期して送信する。なお、上記MCCH 修正通知送信配置情報は、上記MCCH 修正通知情報に対応する送信位置情報を含み、関連パラメータには、MCCH 修正通知情報を送信する繰返し回数、通知情報を送信するオフセット量、及び具体的に通知情報を送信するサブフレームがある。以下、実施形態1により当該解決方案の具体的実現について詳細に記述する。
【００８９】
RNがMBMS伝送をサポートしない場合に対して、本発明の実施形態は、RNが、次のMCCH修正境界の前にDeNB  からMCCH 修正通知情報を取得し、そして、ダウンリンク制御シグナリングにより、取得したMCCH 修正通知情報をUEに送信する。以下、実施形態2と実施形態3により、当該解決方案の具体的実現について、詳細に記述する。
【００９０】
本発明の実施形態に記述したMCCH修正通知送信配置情報は、MCCH 修正通知情報の具体的な送信位置を指示するのに用いることができ、また、UE及び／又はRNが一つのMCCH修正周期内でMCCH 修正通知情報を成功裏に検出できない場合に当該通知情報の受信を試みる最小回数を含み、UEが次回のMCCH修正境界で更新したMCCH内容を読取るように指示するのに用いることができ、MCCH内容は、MBMSサービス情報と、無線リソース割り当て等の関連情報とを含み、MCCH 修正通知情報は、UEはどのMBSFNエリアに対応するMCCHが変わったかを指示するのに用いられることができる。
【００９１】
以下、本発明の図面に基づいて、本発明の実施形態の技術方案を明瞭、かつ完備に記述する。以下に記述する実施形態は、本発明の一部の実施形態に過ぎず、全部の実施形態ではないことが明らかである。本発明の実施形態に基づいて、当業者が創造的労働を経ずに得られるあらゆる他の実施形態も本発明の実施形態の保護範囲に含まれる。
【００９２】
実施形態10
本実施形態に係るネットワーク構成は、図12に示すように、主制御基地局（DeNB）、RNを含み、RNがMBMS伝送をサポートする。この場合に対して、本実施形態において、RNは、早期にDeNBからMCCH 修正通知送信配置情報及びMCCH 修正通知情報を受信することができ、且つ、MCCH 修正通知送信位置情報をUEに送信することができる。DeNBが規定したMCCH 修正通知情報送信時間になると、RNと基地局とがMCCH修正通知情報を同期して送信することにより、UEが当該MCCH 修正通知情報に基づいて、次のMCCH修正境界で更新したMCCH内容を読取ることを保証し、MBMSサービスを正確に受信するように、MCCH内容はMBMSサービス情報と、無線リソース割り当て関連情報等の情報とを含む。
【００９３】
図13に示すように、本発明の実施形態の流れは、以下のステップを含むことができる。
【００９４】
ステップ201において、RNは、DeNBからMCCH 修正通知送信配置情報を受信する。
【００９５】
当該ステップにおいて、DeNBは、システム規約に基づいてダウンリンク制御情報を送信することができ、その中にはMCCH 修正通知送信配置情報が含まれる。このように、RNは、ダウンリンク制御情報をモニタリング、受信することにより、MCCH 修正通知送信配置情報を取得することができる。なお、DeNBが当該配置情報を送信する時間及びRNが当該配置情報を受信する時間は、システムにより指定されてもよく、基準により規定されてもよい。システム又は基準が制定したMCCH 修正通知送信配置情報の送信時間は、RN又はUEがMCCH 修正通知情報を受信する前に当該MCCH 修正通知送信配置情報を受信することを保証できなければならない。
【００９６】
ステップ202において、RNは、MCCH 修正通知送信配置情報をUEに送信する。
【００９７】
当該ステップにおいて、RNは、MCCH 修正通知送信配置情報をダウンリンク制御シグナリングに搭載してUEに送信することができる。当該ダウンリンク制御シグナリングは、PDCCH（Physical Downlink Control Channel：物理ダウンリンク制御チャネル）シグナリングであってもよく、MAC（Media Access Control：メディアアクセス制御）層シグナリングであってもよく、RRC（Radio Resource Control：無線リソース制御）層シグナリングであってもよく、又は、他のMCCH 修正通知情報を搭載できる制御シグナリングである。
【００９８】
ステップ203において、RNは、DeNBからMCCH 修正通知情報を受信する。
【００９９】
当該ステップにおいて、RNがMCCH 修正通知情報を受信する時間は、システムにより指定されてもよく、又は基準により規定されてもよい。
【０１００】
ステップ204において、RNは、DeNBが規定したMCCH 修正通知情報の送信時間にMCCH 修正通知情報を送信する。
【０１０１】
RNは、DeNBが規定したMCCH 修正通知情報の送信時間にMCCH 修正通知情報を送信し、当該時間に、DeNBもMCCH 修正通知情報を送信し、且つ構造的にRN又はUEがMCCH 修正境界に達する前に当該通知情報を受信することを保証するので、RNとDeNBとが、MCCH 修正通知情報を同期に送信し、つまり、UEがMCCH 修正境界に達する前に、RNの送信する当該通知情報を受信することも保証する。
【０１０２】
UEは、受信したMCCH 修正通知送信配置情報に基づいてMCCH 修正通知情報を受信した後に、次のMCCH 修正境界で更新されたMCCH内容を読取り、MCCH内容は修正したeMBMSサービス情報と無線リソース割り当て関連情報等の情報を含み、これにより、修正したeMBMSサービス情報と無線リソース割り当て関連情報に基づいてeMBMSサービスを受信する。
【０１０３】
以上の流れにおいて、DeNBは、MCCH 修正通知送信配置情報とMCCH 修正通知情報を送信する際の順序は、一般的には、MCCH 修正通知送信配置情報が半静的情報に属し、MCCH 修正通知情報が各周期で変化する可能性があるので、まずMCCH 修正通知送信配置情報を送信して、次にMCCH 修正通知情報を送信することになる。
【０１０４】
以上の流れにおいて、RNがMBMS伝送をサポートするので、RNは、基地局のダウンリンク制御シグナリングにより、基地局の送信したMCCH 修正通知情報を受信し、それをUEに送信することができる。具体的には、DeNBは、MCCH 修正通知情報をダウンリンク制御シグナリング（例えば、PDCCHシグナリング）に搭載してRNに送信してもよく、RNは、MCCH 修正通知情報を、RNがUEに対するダウンリンク制御シグナリング（例えば、PDCCHシグナリング）に搭載してUEに送信してもよい。
【０１０５】
同じ技術構想に基づいて、本発明の実施形態は、さらにRNデバイスを提供する。
【０１０６】
図14に示すように、当該RNデバイスは、第2の受信モジュール301と、第2の送信モジュール302と、第1の受信モジュール303と、第1の送信モジュール304とを含むことができる。
【０１０７】
第2の受信モジュール301は、基地局からMCCH 修正通知送信配置情報を受信する。当該モジュールは、基地局が送信するダウンリンク制御シグナリングを受信することにより、その中に有するMCCH 修正通知送信配置情報を受信することができる。
【０１０８】
第2の送信モジュール302は、第2の受信モジュール301が受信したMCCH 修正通知送信配置情報をユーザ端末に送信する。当該モジュールは、ダウンリンク制御シグナリングにより上記MCCH 修正通知送信配置情報を送信することができる。
【０１０９】
第1の受信モジュール303は、基地局からMCCH 修正通知情報を受信する。
【０１１０】
第1送信モジュール304は、第1受信モジュール303が受信したMCCH 修正通知送信配置情報をユーザ端末に送信する。当該モジュールは、基地局がMCCH 修正通知情報を送信する時間と同じ時間に、上記MCCH 修正通知情報を送信し、即ち、基地局と同期してMCCH 修正通知情報を送信することができる。
【０１１１】
第2受信モジュール301は、システムが指定した、又は基準が規定した時間に基づいて、基地局から上記MCCH 修正通知送信配置情報を受信することができ、第1受信モジュール303は、システムが指定した、又は基準が規定した時間に基づいて、基地局から上記MCCH 修正通知情報を受信することができる。
【０１１２】
第1受信モジュール303は、MCCH 修正通知情報を受信する時に、基地局が送信する、上記MCCH 修正通知情報を搭載しているダウンリンク制御シグナリングを受信することにより、上記MCCH 修正通知情報を受信することができる。第1送信モジュール304は、上記MCCH 修正通知情報をPDCCHシグナリングに搭載してユーザ端末に送信することができる。
【０１１３】
以上の記述から分かるように、RNがMBMS伝送をサポートする場合に対して、RNが所定のMCCH 修正通知情報送信時間の前に、MCCH 修正通知情報及び通知送信配置情報を取得し、通知送信配置情報をUEに送信し、DeNBが規定したMCCH 修正通知情報の送信時間に達すると、RNとDeNBがMBSFN伝送方式によりMCCH 修正通知情報を同期して送信することにより、UEが当該MCCH 修正通知情報に基づいて、次のMCCH修正境界で更新したMCCH内容を読取れるようにし、MCCH内容はMBMSサービス情報と、無線リソース割り当て関連情報とを含む。以上の記述により、RNは、MBMS伝送に関するMCCH 修正通知情報をUEにタイムリーに送信して、UEがMCCHの更新内容をタイムリーに受信できるようにし、UEがMBMSサービスに関する情報に対する受信が保証される。
【０１１４】
実施形態11
本実施形態に係るネットワーク構成は、上記の図12に示すように、主制御基地局（DeNB）と、RNとを含み、RNがMBMS伝送をサポートしない。この場合に対して、本実施形態において、RNは、MCCH修正境界の前に、DeNBからMCCH 修正通知情報を受信し、且つMCCH修正境界の前に、それをUEに送信することにより、UEがMCCH 修正通知情報をタイムリーに受信できるように保証し、次のMCCH修正境界で更新したMCCH内容を読取れるようにし、MCCH内容はMBMSサービス情報と、無線リソース割り当て関連情報とを含む。
【０１１５】
図15に示すように、本発明実施形態の流れは、以下のステップを含むことができる。
【０１１６】
ステップ401において、RNは、DeNBからMCCH 修正通知情報を受信する。RNは、MCCH 修正通知情報を受信した後に、DeNBへ確認情報を戻してもよい。
【０１１７】
当該ステップにおいて、DeNBは、MCCH 修正通知情報をダウンリンク制御シグナリングに搭載してRNに送信することができる。当該ダウンリンク制御シグナリングは、専用制御シグナリングであってもよく、共用制御シグナリングであってもよく、シグナリング搭載の方式は、PDCCHシグナリングであってもよく、MAC層シグナリングであってもよく、RRC層シグナリングであってもよく、又は、他のMCCH 修正通知情報を搭載可能な制御シグナリングであってもよい。
【０１１８】
ステップ402において、RNは、MCCH修正境界の前に（現在のMCCH修正周期が終わる前、即ち次のMCCH修正周期が始まる前）、その前にDeNBから受信したMCCH 修正通知情報をUEに送信して、UEはDeNBが規定したMCCH修正通知情報送信時刻に当該通知情報を受信する必要のないようにする。
【０１１９】
当該ステップにおいて、RNは、MCCH 修正通知情報をダウンリンク制御シグナリングに搭載してUEに送信することができる。当該ダウンリンク制御シグナリングは、専用制御シグナリングであってもよく、共用制御シグナリングであってもよく、シグナリング搭載の方式は、PDCCHシグナリングであってもよく、MAC層シグナリングであってもよく、RRC層シグナリングであってもよく、又は、他のMCCH 修正通知情報を搭載可能な制御シグナリングであってもよい。
【０１２０】
UEは、MCCH 修正通知情報を受信した後に、その後のMCCH修正境界、即ち次のMCCH修正境界で更新したMCCH内容を読取り、MCCH内容はMBMSサービス情報と、無線リソース割り当て関連情報等の情報とを含み、これにより、修正したeMBMSサービス情報と無線搭載関連情報に基づいてMBMSサービスを受信することができる。
【０１２１】
一般的に、MCCH情報は、repetition periodで同一のMCCH修正周期内で周期的に送信し、同じ内容で繰返し送信し、例えば、一つの512ms内にMCCH修正通知を2回送信し、後続の512ms内に更新したMCCH修正通知を2回送信し、この場合に、更新したMCCH修正通知情報を送信する周期の開始時刻が、MCCH修正境界である、または、前の内容と異なるMCCH修正通知情報を送信する周期の開始時刻が、MCCH修正境界であると見なすことができる。
【０１２２】
以上の流れにおいて、RNがMBMS伝送をサポートせず、現有のプロトコルに従って、RNは、MBSFNサブフレームによりDeNBからMCCH 修正通知情報を受信してUEに送信することができないので、本実施形態において、DeNBは、 MCCH 修正通知情報をダウンリンク制御シグナリング（共用制御シグナリング、又は専用制御シグナリング）に搭載して、RNに送信することができ、RNもMCCH 修正通知情報をダウンリンク制御シグナリング（共用制御シグナリング、又は専用制御シグナリング）に搭載してUEに送信することができる。
【０１２３】
実施形態1と同様に、DeNBがMCCH 修正通知送信配置情報を送信する時間は、システムにより指定されてもよく、又は基準により規定されてもよいが、RN又はUEが、対応するMCCH修正境界の前に受信できる（適切な伝送時間遅延等の要素を考える）ことを保証しなければならない。従って、RNが、DeNBから関連情報を受信した後にUEに送信しても、UEが、相応するMCCH修正境界の前に受信できることを保証することができる。
【０１２４】
同じ技術構想に基づいて、本発明の実施形態は、さらにRNデバイスを提供する。
【０１２５】
図16に示すように、当該RNデバイスは、第1の受信モジュール501と、第1送信モジュール502とを含むことができる。
【０１２６】
第1の受信モジュール501は、基地局からMCCH 修正通知情報を受信し、当該モジュールは、基地局が送信するダウンリンク制御シグナリングを受信することにより、その中に有するMCCH 修正通知情報を受信することができる。
【０１２７】
第1の送信モジュール502は、第1受信モジュール501が受信したMCCH 修正通知情報をユーザ端末に送信する。当該モジュールは、上記MCCH 修正通知情報に対応する修正境界の前に、基地局から受信したMCCH 修正通知情報をユーザ端末に送信することができ、当該モジュールは、ダウンリンク制御シグナリングにより上記MCCH 修正通知情報を送信することができる。
【０１２８】
以上の記述から分かるように、RNがMBMS伝送をサポートしない場合に対して、RNがMCCH修正境界の前にMCCH 修正通知情報を取得し、且つMCCH修正境界の前に、ダウンリンク制御シグナリングによりそれをUEに送信することにより、UEに、当該MCCH 修正通知情報に基づいて次のMCCH修正境界で更新したMCCH内容を読取らせることができ、MCCH内容はMBMSサービス情報と、無線搭載関連情報とを含む。以上の記述により、RNは、MBMS伝送に関するMCCH 修正通知情報をUEにタイムリーに送信して、UEがMCCHの更新内容をタイムリーに受信するようにし、UEがMBMSサービスに関する情報に対する受信を保証することができる。
【０１２９】
実施形態12
本発明に係るネットワーク構成は、図12に示すように、主制御基地局（DeNB）と、RNとを含み、RNがMBMS伝送をサポートしない。この場合に対して、本実施形態において、RNは、DeNBがMCCH 修正通知情報を送信する時刻にDeNBｓが送信するMCCH 修正通知情報をモニタリングし、検出したMCCH 修正通知情報をUEに送信することができるため、UEがMCCH 修正通知情報をタイムリーに受信して、当該修正通知情報に基づいて、次のMCCH修正境界で更新したMCCH内容を読取れるように保証し、MCCH内容はMBMSサービス情報情報と、無線リソース割り当て関連情報等の情報とを含み、MBMSサービスを正確に受信するようにする。
【０１３０】
図17に示すように、本発明実施形態の流れは、以下のステップを含むことができる。  
ステップ601において、RNは、DeNBからMCCH 修正通知送信配置情報を受信する。なお、MCCH 修正通知送信配置情報は、ダウンリンク制御シグナリングに搭載されることができる。
【０１３１】
ステップ602において、RNは、DeNBがMCCH 修正通知情報を送信する時刻に、受信したMCCH 修正通知送信配置情報に基づいて、対応する位置でDeNBが送信するMCCH 修正通知情報をモニタリングする。RNは、MCCH 修正通知情報を受信した後に、確認情報をDeNBへ戻してもよい。
【０１３２】
ステップ603において、RNは、MCCH 修正通知情報をモニタリングした後に、次のMCCH修正境界の前に、その前にDeNBから受信したMCCH 修正通知情報をUEに送信して、UEが、DeNBが規定したMCCH 修正通知情報送信時刻に当該情報を受信しなくても良いようにする。
【０１３３】
当該ステップにおいて、MBMSサービス情報と、無線リソース割り当て関連情報とに変化がない場合、DeNBは、規定した、MCCH 修正通知情報を送信する時にMCCH 修正通知情報を送信しない可能性があり、RNがMCCH 修正通知情報をモニタリングせず、UEに送信させない可能性がある。
【０１３４】
当該ステップにおいて、RNは、MCCH 修正通知情報を共用又は専用制御シグナリングに搭載してUEに送信することができる。当該制御シグナリングは、PDCCHシグナリングであってもよく、MAC層シグナリングであってもよく、RRC層シグナリングであってもよく、又は、他のMCCH 修正通知情報を搭載できる制御シグナリングであってもよい。
【０１３５】
UEは、MCCH 修正通知情報を受信した後に、その後のMCCH修正境界、即ち次のMCCH修正境界で更新したMCCH内容を読取り、MCCH内容はMBMSサービス情報と、無線リソース割り当て関連情報等の情報とを含み、これにより、修正したeMBMSサービス情報と無線搭載関連情報に基づいてMBMSサービスを受信することができる。
【０１３６】
上記フローにおいて、RNがMCCH 修正通知情報を受信する時間は、システムにより指定されてもよく、又は基準により規定されてもよく、当該時間は、DeNBがMCCH 修正通知情報を送信する時間、又は他のシステムにより送信時刻が指定されることが好ましい。なお、DeNBがMCCH 修正通知情報を送信する時間は、対応するMCCH修正境界の間にあるべきである。
【０１３７】
以上の流れにおいて、RNは、MCCH 修正通知情報を共用又は専用制御シグナリングに搭載してUEに送信することができる。
【０１３８】
同じ技術構想に基づいて、本発明の実施形態は、さらにRNデバイスを提供する。
【０１３９】
図18に示すように、当該RNデバイスは、第1の受信モジュール701と、第2の送信モジュール702とを含むことができる。
【０１４０】
第1の受信モジュール701は、基地局からMCCH 修正通知情報を受信する。
【０１４１】
第2の送信モジュール702は、第1の受信モジュール701が受信したMCCH 修正通知情報をユーザ端末に送信する。当該モジュールは、上記MCCH修正境界の前に、MCCH 修正通知情報を送信することができ、情報を送信する時にダウンリンク制御シグナリングにより上記MCCH 修正通知情報を送信することができる。
【０１４２】
当該デバイスは、基地局からMCCH 修正通知送信配置情報を受信して、第1の受信モジュール701が当該配置情報に基づいて、相応する位置でMCCH 修正通知情報を受信することができるようにするための第3の受信モジュール703をさらに含む。
【０１４３】
以上に記述から分かるように、RNがMBMS伝送をサポートしていない場合には、RNがMCCH修正境界の前に、DeNBがMCCH 修正通知情報を送信する時に受信したMCCH 修正通知情報をUEに送信することにより、UEが、当該MCCH 修正通知情報に基づいて、次のMCCH修正境界で更新したMCCH内容をタイムリーに読取れるようにし、MCCH内容はMBMSサービス情報と、無線搭載関連情報とを含む。以上の記述により、RNは、MBMS伝送に関するMCCH 修正通知情報をUEに送信して、UEがMCCHの更新内容をタイムリーに受信することができ、これにより、UEがMBMSサービスに関する情報に対する受信が保証される。
【０１４４】
実施形態13
本実施形態において、RNが、DeNBから受信したMCCH 修正通知送信配置情報をUEに送信する一方、UEが、当該RNが所在のセル以外のセルによって送信されるMCCH 修正通知送信配置情報の受信ができていない場合に、当該RNが送信するMCCH 修正通知送信配置情報に基づいて、修正したMCCH内容を読取ることができ、MCCH内容はMBMSサービス情報と、無線リソース割り当て関連情報とを含み、これにより、ユーザ端末がUEがMBMSサービスに関する情報に対する受信を保証する。
【０１４５】
図19に示すように、本実施形態のフローは、以下のステップを含むことができる。
【０１４６】
ステップ801において、RNは、DeNBが送信するMCCH 修正通知送信配置情報を受信する。
【０１４７】
当該ステップにおいて、DeNBは、MCCH 修正通知送信配置情報をダウンリンク制御シグナリングに搭載してRNに送信することができ、RNは、DeNBが送信するダウンリンク制御シグナリングを受信することにより、その中に有するMCCH 修正通知送信配置情報を受信することができる。
【０１４８】
ステップ802において、RNは、受信したMCCH 修正通知送信配置情報をUEに送信する。
【０１４９】
当該ステップにおいて、RNは、MCCH 修正通知送信配置情報をダウンリンク制御シグナリングに搭載してUEに送信することができる。
【０１５０】
上記フローにおけるダウンリンク制御シグナリングは、専用制御シグナリング、例えば、PDCCHシグナリング、又はMAC層シグナリング、又はRRC層シグナリングであってもよく、共用制御シグナリングであってもよい。
【０１５１】
本実施形態同じ技術構想に基づいて、本発明の実施形態は、さらにリレーノードデバイスを提供する。
【０１５２】
図20に示すように、当該リレーノードデバイスは、受信モジュール901と、送信モジュール902とを含むことができる。
【０１５３】
受信モジュール901は、基地局が送信するMCCH 修正通知送信配置情報を受信し、当該モジュールは、基地局が送信するダウンリンク制御シグナリングを受信することにより、その中に有するMCCH 修正通知送信配置情報を受信することができる。
【０１５４】
送信モジュール902は、受信モジュール901が受信したMCCH 修正通知送信配置情報をユーザ端末に送信する。当該モジュールは、上記MCCH 修正通知送信配置情報をダウンリンク制御シグナリングに搭載して送信することができる。
【０１５５】
実施形態14
図21に示すように、本発明は、他の、RNがMBMSサービス伝送をサポートしない実施形態を提供する。即ち、基地局がMCCH 修正通知送信配置情報を、RNに伝送するが、UEに送信する必要がない。このように、RNは、シグナリングによりUEに通知する必要がなく、RNとUEの間のインターフェース（Uuインターフェース）のオーバーヘッド（overhead）を低減する。本実施形態において、RNは、MBMSサービスのMBSFNサブフレームを伝送する過程で入る可能性のある（MBMSサービスを受信しているUEに対する）妨害を無くすために、RNは、対応するMBSFNサブフレーム（即ち、上記MCCH 修正通知送信配置情報が指示するMCCH 修正通知情報の送信位置）がデータ情報を伝送するOFDM（Orthogonal Frequency Division Multiplexing：直交波周波数分割多重）符号をミュート（Mute）に設置し、即ち、ユーザをスケジューリングしないことにより、いかなるユーザのデータ情報も伝送しなく、いかなるパイロット周波数情報を送信するか送信しないかを選択できる。このように、UEはこれらのサブフレームがMBSFNサブフレームであることを知らないにもかかわらず、それを通常のユニキャストサブフレームとしてサービスを受信するが、RNが以上の処理操作を採用して、UEが自分のスケジューリング情報とユーザデータを受信しないので、入り込む妨害と、UEに対する影響をある程度低減することができる。
【０１５６】
上記フローと同じ技術構想に基づいて、本発明の実施形態は、さらにRNデバイスを提供し、第1の受信モジュールを含み、さらに、設置モジュールを含むことができる。
【０１５７】
第1受信モジュールは、基地局からMCCH 修正通知送信配置情報を受信する。
【０１５８】
設置モジュールは、上記第1の受信モジュールが受信した上記MCCH 修正通知送信配置情報が指示する送信MCCH 修正通知情報に対応するマルチキャストブロードキャスト単一周波数ネットワークMBSFNサブフレームにおいてデータを伝送する直交波周波数分割多重OFDM符号をミュートに設置する。
【０１５９】
説明すべきことは、本発明の上記各実施形態において記述したダウンリンクシグナリングは、専用制御シグナリングであってもよく、共用制御シグナリングであってもよい。
【０１６０】
さらに、説明すべきことは、本発明の上記各実施形態において、MBMSサービス情報情報と、無線リソース割り当て関連情報とに変化がない場合、DeNBは、規定した、MCCH 修正通知情報を送信する時にMCCH 修正通知情報を送信しない可能性があり、RNにMCCH 修正通知情報をモニタリングさせず、UEに送信させない可能性がある。
【０１６１】
以上の実施形態の記述により、当業者は、本発明がソフトウェアに、必要な汎用ハードウェアプラットフォームを加えて実現できることを明らかに了解し、ハードウェアにより実現してもよいが、多くの場合に、前者がより適切な実施形態である。このような理解に基づいて、本発明の技術方案は、実質的に又は従来技術に貢献する部分は、ソフトウェア製品の形式で表現することができ、当該コンピュータソフトウェア製品は、一つの記憶媒体に記憶されて、若干の命令を含み、一台のコンピュータデバイス（例えば、パーソナルコンピュータ、サーバ、又はネットワークデバイス等）が本発明の各実施形態に記述した方法を実行するようにする。
【０１６２】
当業者が理解すべきことは、図面は好ましい実施形態の模式図に過ぎず、図面におけるモジュール又はフローが必ず本発明の実施に必要なものではないことである。
【０１６３】
当業者が理解すべきことは、実施形態におけるデバイスのモジュールは実施形態記述に従って、実施形態の装置に分布してもよく、対応するように変化して、本実施形態と異なる一つ又は複数のデバイスに位置してもよいことである。上記実施形態のモジュールは、一つのモジュールに合併してもよく、複数のサブモジュールにさらに分けてもよい。
【０１６４】
上記本発明の実施形態の番号は記述のために用いられ、実施形態の優劣を代表しない。
【０１６５】
以上開示したのは本発明の幾つかの具体的な実施形態に過ぎず、本発明はこれに限られず、いかなる当業者が、思いつく変化も本発明の保護範囲に含まれるべきである。
【図１】
0005883802.tif 000002
【図２】
0005883802.tif 000003
【図３】
0005883802.tif 000004
【図４】
0005883802.tif 000005
【図５】
0005883802.tif 000006
【図６】
0005883802.tif 000007
【図７】
0005883802.tif 000008
【図８】
0005883802.tif 000009
【図９】
0005883802.tif 000010
【図１０】
0005883802.tif 000011
【図１１】
0005883802.tif 000012
【図１２】
0005883802.tif 000013
【図１３】
0005883802.tif 000014
【図１４】
0005883802.tif 000015
【図１５】
0005883802.tif 000016
【図１６】
0005883802.tif 000017
【図１７】
0005883802.tif 000018
【図１８】
0005883802.tif 000019
【図１９】
0005883802.tif 000020
【図２０】
0005883802.tif 000021
【図２１】
0005883802.tif 000022